(57)【要約】【課題】本発明は、特に無線周波数ＲＦ信号を伝送することを用途とする同軸接続システムに関する。【解決手段】本発明に係る同軸接続システムでは、固形絶縁構造体が利用され、且つ、コネクタの案内部分が延長されている。さらに、プラグとジャックとが相互に接続された状態の場合にプラグをジャックに機械的にロックするためのロック装置から独立して、軸線方向におけるアース接点の移動を不可能とする。【選択図】図３Ｂ
2017126564.tif 000002
【特許請求の範囲】
【請求項１】
無線周波数（ＲＦ）信号を伝送するように構成されている、長手方向軸線（Ｘ）に関する同軸接続システム（１）であって、プラグ（２）を形成している第１のシステム要素と、ジャック（３）を形成している第２のシステム要素と、を備えている前記同軸接続システム（１）において、
前記プラグ（２）及び前記ジャック（３）それぞれが、
中央接点（２０；３０）と、
前記中央接点（２０；３０）の周囲に配置されている周囲接点（２１；３１）であって、アース接点を形成している前記周囲接点（２１；３１）と、
前記中央接点（２０；３０）と前記アース接点（２１；３１）との間に挿置されている固体絶縁構造体（２３；３３）と、
を備えており、
前記ジャック（３）が、案内部分（３２０）を形成している円筒状内面を有している本体（３２）を備えており、
一方のアース接点（３１）が、弾性的とされ、且つ、溝を具備するスリーブとされ、協働する他方のアース接点（２１）が、高剛性とされ、前記一方のアース接点（３１）が、前記プラグ（２）と前記ジャック（３）とが接続された状態において、径方向において前記他方のアース接点（２１）の内面に当接しており、
前記プラグ（２）の前記他方のアース接点（２１）の外面が、前記ジャック（３）の前記本体（３２）の前記案内部分（３２０）に接触した状態で機械的に案内される、案内部分（２１０）を形成しており、前記プラグ（２）の前記他方のアース接点（２１）の前記案内部分（２１０）が、直径（Ｄ）と前記長手方向軸線（Ｘ）に沿った長さ（Ｌ）とを有しており、比Ｌ／Ｄが、０．５以上であることを特徴とする同軸接続システム（１）。
【請求項２】
前記本体（３２）の前記案内部分（３２０）の直径と前記プラグ（２）の前記他方のアース接点（２１）の前記案内部分（２１０）の直径（Ｄ）との差分（Ｅ）すなわちラジアル方向間隙が、比Ｅ／Ｌが０．０５未満であるように、好ましくは０．０３未満であるように形成されていることを特徴とする請求項１に記載の同軸接続システム（１）。
【請求項３】
前記本体（３２）の前記案内部分（３２０）の直径と前記プラグ（２）の前記他方のアース接点（２１）の前記案内部分（２１０）の直径（Ｄ）との差分（Ｅ）すなわちラジアル方向間隙が、前記ジャック（３）と前記プラグ（２）とが相互に接続された状態において前記ジャック（３）と前記プラグ（２）とが成す傾斜角度（α）が３°より小さくなる、好ましくは１．５°より小さくなる大きさとされることを特徴とする請求項１又は２に記載の同軸接続システム（１）。
【請求項４】
溝が形成された前記一方のアース接点（３１）が結合の際に高剛性な前記他方のアース接点（２１）の内面に接続された場合に、又は、溝が形成された前記一方のアース接点（３１）が結合解除の際に高剛性な前記他方のアース接点（２１）の内面から接続解除された場合に、前記ジャック（３）と前記プラグ（２）とが成す前記傾斜角度（α）が、７°より小さい値を維持していることを特徴とする請求項３に記載の同軸接続システム（１）。
【請求項５】
前記固体絶縁構造体（２３；３３）には、複数の穴又は１つ以上の空洞が形成されていることを特徴とする請求項１〜４のいずれか一項に記載の同軸接続システム（１）。
【請求項６】
前記プラグ（２）と前記ジャック（３）とが相互に接続された状態とされる場合に、前記プラグ（２）を前記ジャック（３）に機械的にロックするように構成されているロック装置（４）を備えていることを特徴とする請求項１〜５のいずれか一項に記載の同軸接続システム（１）。
【請求項７】
前記ロック装置（４）が、ネジ／ナット方式とされ、
前記ロック装置（４）が、前記プラグ（２）の周りに回転自在に取り付けられているナット（２４）と、前記ジャック（３）の前記本体（３２）の周囲に形成されているネジ部（３４）を具備するネジとから構成されていることを特徴とする請求項６に記載の同軸接続システム（１）。
【請求項８】
前記ロック装置（４）が、嵌め込みロック方式とされ、
前記ロック装置（４）が、前記プラグ（２）の周囲に取り付けられている結合リング（４０）を備えており、
前記結合リング（４０）が、接続状態において前記ジャック（３）の前記本体（３２）の周囲に形成されている溝（３２１）に接続の際に嵌め込められるように構成されている少なくとも１つのラッチフック（４１）を有していることを特徴とする請求項６に記載の同軸接続システム（１）。
【請求項９】
嵌め込みロック方式の前記ロック装置が、前記プラグ（２）の周囲に並進自在に取り付けられているロック解除ナット（４２）を備えており、
前記ロック解除ナット（４２）が、前記ロック解除ナット（４２）の内側に突出している表面（４３）であって、接続方向の反対方向に前記ロック解除ナット（４２）を移動させた場合に、前記ジャック（３）の前記本体（３２）の周囲に形成されている前記溝（３２１）から前記ラッチフック（４１）を係合解除するように構成されていることを特徴とする請求項８に記載の同軸接続システム（１）。
【発明の詳細な説明】
【技術分野】
【０００１】
本発明は、特に無線周波数ＲＦ信号を伝送することを用途とする同軸接続システムに関する。
【０００２】
特に、本発明の目的は、例えば基地局ＢＴＳ、ＲＲＵ／ＲＲＨユニット（遠隔無線ユニット／遠隔無線ヘッドユニット）や無線通信市場のための分散アンテナシステムのような、通信設備の接続にある。
【０００３】
また、本発明は、一般に、医療分野、産業分野、航空すなわち輸送分野、及び宇宙分野における接続システムに関する。
【０００４】
より具体的には、本発明の目的は、電気的及び機械的ＲＦ性能レベルを長期に亘り制御且つ安定させるための、特に接触抵抗及び相互変調レベルが低い同軸式接続システムを提案することである。
【背景技術】
【０００５】
市場に流通している従来技術に基づく既存の同軸方式電力コネクタは、受動相互変調レベルが低く、無線方式携帯電話のインフラのための通信分野に向けられている。
【０００６】
このような市場傾向は、受動相互変調製品の生産を最小限度に抑えることである。これは、例えば同軸コネクタやＲＦ導線のような受動部品は線形であると考えられるが、実際には、当該受動部品が相互変調発生器すなわちＲＦ信号の望ましくない変調を発生させる非線形発生器として機能することが疑わしいためである。これにより、当該受動部品からの信号出力が歪んでしまう場合がある。
【０００７】
図１は、３０年以上の間に亘り国際電気標準ＩＥＣ６１１６９−４規格シリーズ７／１６として市販されてきた同軸電力接続システムの長手方向断面図である。
【０００８】
ジャック３は、中央接点３０と、中央接点３０の周囲に配置されている周囲接点３１とを備えており、周囲接点３１は、アース接点を形成している。さらに、固体絶縁体は、図示しないが、中央接点とアース接点との間に挿置されており、固体絶縁体、中央接点、及びアース接点のすべてが、本体３２に収容されている。ロックナット４が、プラグとジャックとの相互接続を機械的にロックするために、プラグとジャックとの両方の周りに締め付けられるように設けられている。
【０００９】
プラグ２自体は、中央接点２０と、中央接点２０の周囲に配置されている周囲接点２１とを備えており、周囲接点２１は、アース接点を形成している。
【００１０】
受動相互変調を最小限度に抑えるためには、アース接点３１，２１の間における接続システムの長手方向軸線Ｘにおける軸線方向当接面Ａの強度が十分であることが必要とされる。このことは、大きい締付トルクをロックナット４に作用させることによって確実とされる。また、この締付トルクは、応力及び応力緩和の影響の原因となる締結緩みの危険性を低減させるために必要とされる。このことは、特にトルクが不十分な場合にナットの緩みを誘発させ得る温度差や振動等の影響を受けるコネクタの耐用寿命に現れる。これにより、締付トルクは、アース接点同士の間における接触圧力が作用している限りひいては相互変調レベルが低い限り、必要以上に大きくなっている。
【００１１】
従って、図１に表わす同軸電力接続システム１において必要とされることは、−スレッド３４に対するナット２４の大きい締付トルクによって生じる、例えばスレッド３４やナット２４のような剪断力、例えば本体３２のような引張力、及び例えばアース接点３１のような圧縮力の作用をサポートする頑強な部品を立案すること、及び、−典型的には規格シリーズ７／１６のための３０Ｎ・ｍ〜３５Ｎ・ｍである、大きいが調整された締付トルクを作用させるために大きいトルクレンチを利用することである。
【００１２】
しかしながら、作用する締付トルクは、時間の経過と共に抜けていく傾向を有しており、コネクタに関連する電気的性能を変化させる原因となる。そして、コネクタの大きさは大きい。
【００１３】
近年、ＲＦ性能レベルが高く且つ受動相互変調が低い、新しい同軸電力コネクタが発展してきている。当該同軸電力コネクタは、規格シリーズ４．３−１０として市販されており、規格番号ＩＥＣ６１１６９−５４として規定されている。
【００１４】
このような同軸接続システムは、図２に表わされている。Ｏリングシール６は、好ましくは高剛性なアース接点２１の周囲に配置されている。上述要素と同一の要素には、同一の参照符号が付されている。当該同軸接続システムでは、軸線方向における動作中の遊隙（軸線方向間隙）Ｊは、一旦ロックされると、軸線Ｘにおけるアース接点２１，３１の間において維持される。従って、アース接点２１，３１同士の間における電気的アース接続は、高剛性なアース接点２１の凹所の内部に当接している弾性的なアース接点３１のラジアル軸受によってのみ生み出される。当該コネクタの大きさは、規格シリーズ７／１６コネクタより小さい。
【００１５】
しかしながら、規格シリーズ４．３−１０として市販されているこのようなシステムは、幾つかの大きな不具合を有している。第一に、固形絶縁構造体が、ジャック３の弾性的な外側接点３１と中央接点３０との間に設けられていない。その結果として、外側接点３１と中央接点３０とは、２つのコネクタの結合／結合解除の際に物理的に保護されておらず、弾性的な外側接点３１が損傷する可能性が著しく高い。これにより、コネクタ（ジャック）の長寿命が保証されない。そして、弾性的な外側接点３１が変形及び／又は損傷した場合には、能動相互変調が安定しない。
【００１６】
さらに、プラグ２のアース接点２１は、直径Ｄ及び軸線Ｘに沿った長さＬから成る円筒状外面を有しており、接続の際に、ジャック３の本体３２の案内部分３２０に対して機械的に案内される。接続を容易に実現するために、アース接点２１は、アース接点２１の自由縁部に、案内領域を著しく低減させる面取り部を有している。従って、比Ｌ／Ｄは、約０．３程度とされる。このために、コネクタ同士の間における安定性は、同軸性が良好に確保し得ない程度に低い。また、このことは、能動相互変調の性能が低下することを示す。
【００１７】
さらに、比Ｌ／Ｄが低く、且つ、溝を具備する弾性的なアース接点３１がジャック３を絶縁保護しないので、接続には危険が伴う。当該危険は、例えば図２Ａに表わすような結合／結合解除操作の際に、システムの破損をもたらすか、又はジャック３の溝を具備するアース接点３１のペタル３１０の変形をもたらす。当該危険は、システムの受動相互変調特性に強く影響を及ぼすが、このことは、見た目には判然としない。
【００１８】
従って、ＲＦ性能を高くすると共に、より具体的には受動相互変調レベルを低くし且つ能動相互変調レベルを安定させると共に、同軸式のＲＦ接続システムをさらに改善する必要がある。
【先行技術文献】
【特許文献】
【００１９】
【特許文献１】国際公開第２０１４／０２６３８３号
【発明の概要】
【発明が解決しようとする課題】
【００２０】
本発明の目的は、このようなニーズをすべて又は一部を達成させることである。
【課題を解決するための手段】
【００２１】
従って、本発明の主題は、無線周波数信号を伝送するように構成されている、長手方向軸線に関する同軸接続システムであって、プラグを形成している第１のシステム要素と、ジャックを形成している第２のシステム要素と、を備えている同軸接続システムにおいて、プラグ及びジャックそれぞれが、
中央接点と、
中央接点の周囲に配置されている周囲接点であって、アース接点を形成している周囲接点と、
中央接点とアース接点との間に挿置されている固体絶縁構造体と、
を備えている、同軸接続システムである。
【００２２】
ジャックが、案内部分を形成している円筒状内面を有している本体を備えている。
【００２３】
一方のアース接点が、弾性的とされ、且つ、溝を具備するスリーブとされ、協働する他方のアース接点が、高剛性とされ、一方のアース接点が、プラグとジャックとが接続された状態において、径方向において他方のアース接点の内面に当接している。
【００２４】
プラグの他方のアース接点の外面が、ジャックの本体の案内部分に接触した状態で機械的に案内される、案内部分を形成しており、プラグの他方のアース接点の案内部分が、直径と長手方向軸線に沿った長さとを有しており、比Ｌ／Ｄが、０．５以上である。
【００２５】
従って、本発明は、主として、固形絶縁構造体を利用すると共に、コネクタの案内部分を延長することにより構成されている。この場合には、プラグとジャックとが相互に接続された状態にある場合にプラグをジャックに機械的にロックするロック装置から独立して、軸線方向におけるアース接点の固定が確保されている。
【００２６】
固形絶縁構造体、特にジャックを利用することによって、弾性的な外側接点及び／又は中央接点の不慮の変形を回避することができる。このような機械的保護が、接続システムの長寿命化と安定した能動相互作用とを確保する。本発明では、固形絶縁構造体が、同様に絶縁体である単なる空気とは異なることに留意すべきである。逆に、本発明における固形絶縁構造体は、溝付アース接点を保護するのに十分な強度を当然に有している固形片から作られている。当該固形片は、中実であっても、内孔や１つ以上の空洞を具備していても良い。当該実施例では、内孔を具備する固形片は、溝付アース接点を保護するための要件を満たしている必要がある。
【００２７】
例えば上述のような従来技術に基づくすべてのコネクタ、特に規格シリーズ７−１６及び規格シリーズ４．３−１０に基づくコネクタと比較して、小さい径方向間隙に関連するプラグの案内部分の長さとジャックの本体の案内部分の長さとを延長することによって、接続性が同軸性と共に安定して維持される。これにより、本発明における接続システムについての受動相互変調レベルを非常に低く且つ安定させることができる。
【００２８】
好ましい実施例では、本発明における同軸接続システムの大きさは、ＱＭＡシリーズ（特許取得済インターフェース）として知られている従来技術に基づくコネクタの大きさと同程度であり、規格シリーズ７／１６コネクタの一のコネクタより小さい。
【００２９】
要するに、本発明における接続システムは、特に低い受動相互変調レベル及び能動相互変調レベルと共に、高いＲＦ性能レベルを有している。これら性能レベルは、長時間に亘って安定している。
【００３０】
本体の案内部分の直径とプラグの他方のアース接点の案内部分の直径（Ｄ）との差分（Ｅ）すなわちラジアル方向間隙が、比Ｅ／Ｌが０．０５未満であるように、好ましくは０．０３未満であるように形成されている。
【００３１】
代替的には、又は、上述の特徴と組み合わせて、本体の案内部分の直径とプラグの他方のアース接点の案内部分の直径（Ｄ）との差分（Ｅ）すなわちラジアル方向間隙が、ジャックとプラグとが相互に接続された状態においてジャックとプラグとが成す傾斜角度が３°より小さくなる、好ましくは１．５°より小さくなる大きさとされる。
【００３２】
優位な実施例では、プラグをジャックから結合解除する際に、傾斜角度の値が、案内部分を互いから完全に接続解除するまで、３°未満に、好ましくは１．５°未満に維持される。この特徴によって、溝付アース接点が、結合解除作業の際に故障することなく機械的に保護される。
【００３３】
他の優位な実施例では、システムは、プラグとジャックとが相互に接続された状態とされる場合に、プラグをジャックに機械的にロックするように構成されているロック装置を備えている。
【００３４】
第１の変形例では、ロック装置が、ネジ／ナット方式とされ、ロック装置が、プラグの周りに回転自在に取り付けられているナットと、ジャックの本体の周囲に形成されているネジ部を具備するネジとから構成されている。
【００３５】
第２の変形例では、ロック装置が、嵌め込みロック方式とされ、ロック装置が、プラグの周囲に取り付けられている結合リングを備えており、結合リングが、接続状態においてジャックの本体の周囲に形成されている溝に接続の際に嵌め込められるように構成されている少なくとも１つのラッチフックを有している。
【００３６】
好ましくは、嵌め込みロック方式のロック装置が、プラグの周囲に並進自在に取り付けられているロック解除ナットを備えており、ロック解除ナットが、ロック解除ナットの内側に突出している表面であって、接続方向の反対方向にロック解除ナットを移動させた場合に、ジャックの本体の周囲に形成されている溝からラッチフックを係合解除するように構成されている。
【００３７】
本発明についての他の利点及び特徴については、図解するための非限定的な例を表わす添付図面を参照しつつ、本発明の典型的な実施例の詳細な説明を精査することによって明らかとなるだろう。
【図面の簡単な説明】
【００３８】
【図１】従来技術に基づく同軸電源低パッシブ相互変調接続システムである規格シリーズ７／１６の長手方向断面図であり、プラグ及びジャックが、互いに接続及びロックするように構成されいる。
【図２】従来技術に基づく規格シリーズ４．３−１０の同軸接続システムの長手方向断面図であって、プラグとジャックとが相互接続且つロックされた状態にある。
【図２Ａ】図２に表わす同軸接続システムの結合に関するリスクを表わす。
【図３】本発明における同軸接続システムの長手方向断面図であって、プラグとジャックとが接続準備位置に位置している。
【図３Ａ】図３に表わす同軸接続システムのジャックに対するプラグの接続開始位置を表わす。
【図３Ｂ】図３に表わす同軸接続システムのジャックとプラグとの相互接続を表わす。
【図３Ｃ】図３に表わす同軸接続システムのジャックとプラグとの結合段階及び結合解除段階の際における、最大許容傾斜角度を表わす。
【図４】ネジ／ナット方式のロック装置のナットを具備する、本発明における同軸接続システムのプラグの長手方向断面図である。
【図４Ａ】図４に表わすプラグを利用する、本発明における同軸接続システムの長手方向断面図であって、プラグとジャックとが相互接続且つロックされた状態にある。
【図５】嵌め込みロック方式のロック装置の結合ナット及び結合リングを具備する、本発明おける同軸接続システムのプラグの長手方向断面図である。
【図５Ａ】図５に表わすプラグを利用する、本発明における同軸接続システムの長手方向断面図であって、プラグとジャックとが相互接続且つロックされた状態にある。
【発明を実施するための形態】
【００３９】
図１〜図２Ｂは、従来技術に基づく同軸接続システムの様々な実施例に関する。
【００４０】
図１〜図２Ｂについては、［背景技術］において既に説明しているので、以下において説明しない。
【００４１】
図１〜図５Ａのすべての図面において、明確にすることを目的として、従来技術に基づく接続システム及び本発明における接続システムについての同一要素には、同一の参照符号が付されている。
【００４２】
以下において、本発明について、任意のタイプのＲＦ回線を参照しつつ説明する。
【００４３】
本発明における同軸接続システム１では、プラグ２及びジャック３それぞれが、中央接点２０，３０とアース接点２１，３１との間に挿置されている固体絶縁構造体２３，３３を備えている。従って、図２に表わすように、規格シリーズ４．３−１０コネクタと比較すると、ジャック３は、中央接点３０とアース接点３１との間に固体絶縁構造体３３を含んでいる。固体絶縁構造体３３は、結合（接続）の際に、メス型の中央接点３０と溝を具備する弾性的なアース接点３１とを物理的に保護する。さらに、固体絶縁構造体３３は、外部物体の侵入に起因する偶発的な損傷が発生する危険性を回避する。
【００４４】
図３、図３Ａ、図３Ｂ、図４Ａ、及び図５Ａに表わすように、本発明におけるジャック３は、円筒状内面を有している本体３２を備えており、円筒状内面は、案内部分３２０を形成している。
【００４５】
本発明における同軸接続システム１では、本体３２とプラグ２とが相互に接続している場合に、本体３２の自由端が、長手方向においてプラグ２の部分２５に対して機械的に当接しているので、アース接点同士の間には、最小の軸線方向間隙（Ｊ）が軸線Ｘに沿って設けられている（図３Ｂ、図４Ａ、及び図５Ａ）。図示の実施例では、当接しているプラグ２の部分２５が、プラグ２の周囲に設けられている肩部である。嵌め込みロック構造では、完全に結合された場合における最終的な軸線方向間隙（Ｊ）は、フック４１が溝３２１に嵌まり込み且つ本体３２の自由端がＯリングシール６に当接することによって形成される。
【００４６】
図３〜図５Ａに表わす発明では、案内部分２１０が直径Ｄと軸線Ｘに沿った長さＬとを有しており、比Ｌ／Ｄが０．５以上となっている。例えば図示の実施例では、比Ｌ／Ｄは０．５５である。
【００４７】
比較すると、規格シリーズ４．３−１０の場合には、比Ｌ／Ｄは約０．３にすぎない。
【００４８】
すべての従来技術に基づく同軸接続システムと比較しても、接続開始時から機能している案内部分は実質的に長くなっている。
【００４９】
発明者の分析によると、比Ｌ／Ｄが高い案内部分のためのこのような大きい長さＬは、本体３２の案内部分３２０の直径とプラグ２の案内部分２１０の直径Ｄとの間における小さい径方向間隙（径方向隙間）と組み合わされるので、横方向において小さいながらも傾く場合があるが、安定性が高められる。すなわち、接続の同軸性が良好になる。従って、受動相互変調が、従来技術に基づく同軸接続システムと比較して低くなる。
【００５０】
好ましくは、ジャック３とプラグ２とが相互に接続された状態において、ジャック３とプラグ２とが成す傾斜角度αが３°より小さく、好ましくは１．５°より小さくなっている。代替的には及び／又はこれと組み合わせて、比Ｅ／Ｌが０．０５より小さく、好ましくは０．０３より小さくなっている。
【００５１】
さらに、本発明における同軸接続システム１では、電気的アース経路が、周囲接点３１と、より具体的には周囲接点３１の自由端における隆起部分と、相手方本体２１の内面との間との間に形成されている（図３Ｂ）。一方、案内部分２１０，３２０によって、機械的な案内が行われる。
【００５２】
案内部分３２０に対するアース接点３１の当接によって、機械的な案内は、電気接点の接続の前に良好な位置合わせを提供することができる（図３Ｃ）。結合の際に溝付アース接点３１が高剛性なアース接点２１に接触した直後において、又は、結合解除の際に溝付アース接点３１が高剛性なアース接点２１の内面から接続解除された場合において、ジャック３とプラグ２とが成す傾斜角度αの値は７°未満を維持している。従って、電気的アース接点は、繰り返される結合／結合解除操作から保護されるので、その結果として、相互変調が比較的低くなり、安定性が一層高められる。
【００５３】
図４及び図４Ａは、プラグ２及びジャック３が相互に接続された場合にプラグ２をジャック３に機械的にロックするのに適している、ロック装置４の第１の変形例を表わす。図示の変形例では、ロック装置４がネジ／ナット方式とされる。相互接続が実現された後に、プラグ２の周りに回転自由に取り付けられているナット２４が、ジャック３の本体３２の周囲に形成されているネジ部３４に螺合される。このようにして、ロックされた状態となる。
【００５４】
図５及び図５Ａは、嵌め込みロック方式とされるロック装置４の第２の変形例を表わす。相互接続の終わりには、本体３２の周囲部分が、プラグ２の周囲に取り付けられた結合リング４０の幾つかのラッチフック４１から径方向に離隔するように移動し、その後に、ラッチフック４１が、本体３２の溝３２１に嵌め込まれる。
【００５５】
プラグ２をジャック３からロック解除するために、ロック装置４は、プラグ２の周囲に並進運動自在に取り付けられているロック解除ナット４２を備えており、ロック解除ナット４２は、内側に突出している表面４３を有している。従って、ナット４２が接続方向の反対方向に移動されると、表面４３が、ジャック３の本体３２の周囲溝３２１からラッチフック４１を係合解除する。
【００５６】
本発明における同軸接続システム１の利点は、上述のように、従来技術に基づく同軸接続システム、例えば規格シリーズ７／１６や規格シリーズ４．３−１０の同軸接続システム、又は、特許文献１に開示される同軸接続システムと比較して多数存在するが、例えば、
−弾性的な外側接点と中央接点との両方に対する機械的な保護を確実にすること；
−特に受動相互変調レベル及び能動相互変調レベルを長期に亘り低く且つ安定させつつ、高いＲＦ信号伝達性能レベルを少なくとも維持し、高めること；並びに
−従来技術に基づく低い受動相互変調コネクタと比較して小型の接続部を実現すること：
が挙げられる。
【００５７】
本発明は、本発明の技術的範囲から決して逸脱しないことを条件として、他の変形例及び改良例を含んでいる。
【００５８】
“備えている（comprising）”との表現は、別段特定されていない限り、“少なくとも１つの〜を備えている（comprising at least one）”と同義であると理解すべきである。
【符号の説明】
【００５９】
１  同軸接続システム
２  プラグ
３  ジャック
４  ロック装置
６  Ｏリングシール
２０  中央接点
２１  アース接点（相手方本体）
２３  固体絶縁構造体
２４  ナット
２５  （プラグ２の）部分
３０  （メス型）中央接点
３１  （弾性的な）アース接点
３２  本体
３３  固体絶縁構造体
３４  ネジ部
４０  結合リング
４１  （ラッチ）フック
４２  ロック解除ナット
４３  表面
２１０  案内部分
３２０  案内部分
３２１  （周囲）溝
【図１】
2017126564.tif 000003
【図２】
2017126564.tif 000004
【図２Ａ】
2017126564.tif 000005
【図３】
2017126564.tif 000006
【図３Ａ】
2017126564.tif 000007
【図３Ｂ】
2017126564.tif 000008
【図３Ｃ】
2017126564.tif 000009
【図４】
2017126564.tif 000010
【図４Ａ】
2017126564.tif 000011
【図５】
2017126564.tif 000012
【図５Ａ】
2017126564.tif 000013
【外国語明細書】
2017126564000001.pdf